(57)【要約】【目的】  管理上の省力化および適正な負荷分散を図ったＩＰ電話交換システムを提供する。【構成】  ＩＰ電話交換機と、ＩＰアドレスが割り当てられて該ＩＰ電話交換機に収容される少なくとも１つのＩＰ電話端末と、を含むＩＰ電話交換システムであり、該ＩＰ電話交換機とは別に設けられ、該ＩＰ電話端末の設定要求に応じて、割当ＩＰアドレス及び端末認証情報を含む設定情報を該ＩＰ電話端末に向けて送信するＩＰアドレス割当装置を含む。該ＩＰ電話端末は、該設定情報に含まれる割当ＩＰアドレスを自身のＩＰアドレスとして設定し、該ＩＰ電話交換機は、該ＩＰ電話端末からの該端末認証情報を含む収容要求に応じて、該ＩＰ電話端末を収容する。【選択図】図２
2005236714.tif 000002
【特許請求の範囲】
【請求項１】
ＩＰ電話交換機と、ＩＰアドレスが割り当てられて前記ＩＰ電話交換機に収容される少なくとも１つのＩＰ電話端末と、を含むＩＰ電話交換システムであって、
前記ＩＰ電話交換機とは別に設けられ、前記ＩＰ電話端末の設定要求に応じて、割当ＩＰアドレス及び端末認証情報を含む設定情報を前記ＩＰ電話端末に向けて送信するＩＰアドレス割当装置を含み、
前記ＩＰ電話端末は、前記設定情報に含まれる割当ＩＰアドレスを自身のＩＰアドレスとして設定し、
前記ＩＰ電話交換機は、前記ＩＰ電話端末からの前記端末認証情報を含む収容要求に応じて、前記ＩＰ電話端末を収容することを特徴とするＩＰ電話交換システム。
【請求項２】
前記ＩＰ電話交換機は、前記ＩＰアドレス割当装置に対して、前記収容要求に含まれた端末認証情報をあらためて確認依頼する手段を含み、
前記ＩＰアドレス割当装置は、前記ＩＰ電話端末に送信した設定情報を保持しこれに基づいて、前記ＩＰ電話交換機からの確認依頼要求に応じて、前記端末認証情報をあらためて確認する手段を含むことを特徴とする請求項１記載のＩＰ電話交換システム。
【発明の詳細な説明】
【技術分野】
【０００１】
本発明は、ＩＰ電話端末をネットワークを介してＩＰ電話交換機に収容して該ＩＰ電話端末間の電話交換をなすＩＰ電話交換システムに関する。
【背景技術】
【０００２】
近年、ＩＰ電話機やゲートウェイ装置等のＩＰ電話端末を収容するＩＰ電話交換機（ＩＰ−ＰＢＸとも称される）が使用されることが増えている。ＩＰ電話交換機は、ＩＰ電話端末に割り当てられたＩＰアドレスを電話番号に対応付けて管理することで、電話番号を用いたＩＰ電話端末同士の通話やＩＰ電話交換機自体を介してアナログ電話網や無線電話網との間の通話を可能とする。
【０００３】
新規増設されるＩＰ電話端末をＩＰ構内交換機に収容するためには、新規ＩＰ電話端末にＩＰアドレスを割り当てることでＩＰ通信を可能とすると共に、当該ＩＰ電話端末の端末情報をこのＩＰアドレスに対応付けてＩＰ構内交換機に登録保持する必要がある。これにより、ＩＰ電話端末はＩＰ電話ネットワークに接続され電話通話が可能となる。
【０００４】
新たなＩＰ電話端末を、例えばＬＡＮにより構成されるＩＰ電話ネットワークを介してＩＰ電話交換機に収容するために、ＩＰ電話端末にＩＰアドレスを割り当てる方法としては、(1)ＩＰ電話端末毎にＩＰアドレスを人が手動で設定する方法と、(2)ＩＰ電話端末が自動的にＩＰアドレスを取得して自身に割り当てる方法の２つの方法がある。図１を参照すると(1)の方法および(2)の方法によりＩＰ電話端末にＩＰアドレスを設定する方法が示されている。
【０００５】
先ず、図１における(1)の方法について説明すると、ＩＰ電話交換機１は、その内部にＩＰ電話端末３の端末情報とＩＰアドレスとの対応を与える管理テーブル２を保持する。ＩＰ電話端末を管理する端末管理者は、この管理テーブル２の内容を閲覧してＩＰ電話端末３の端末情報に適合するＩＰアドレスを認識し，これをＩＰ電話端末３に手動で設定する。この方法は人により手動操作を必要とするため人的コストかかり実用的な方法ではない。
【０００６】
次に図１における(2)の方法について説明すると、(1)の方法と同様にＩＰ電話交換機１は、その内部にＩＰ電話端末３の端末情報とＩＰアドレスとの対応を与える管理テーブル２を保持する。ＩＰ電話端末３は、その起動時にＢｏｏｔＰ（Boot Protocol）やＤＨＣＰ（Dynamic Host Configuration Protocol）等のプロトコルを使用して、ＩＰアドレス取得要求メッセージをＬＡＮ４を介して同報配信する。ＩＰ電話交換機１は、この同報配信されたＩＰアドレス取得要求メッセージを受信し、その内部で保持している管理テーブル２を参照し、ＩＰ電話端末３の端末情報に対応するＩＰアドレスを応答メッセージに設定してＩＰ電話端末３に返信する。この応答メッセージを受信したＩＰ電話端末３は、該応答メッセージからＩＰアドレスを抽出し、ＩＰ電話端末３自身のＩＰアドレスとして設定する。以上のように(2)の方法では、端末管理者の手動設定作業が無いため人的コストの低減を計ることが可能である。
【発明の開示】
【発明が解決しようとする課題】
【０００７】
しかしながら上記２つの方法では、ＩＰ電話交換機は、収容する全てのＩＰ電話端末の端末情報とＩＰアドレスとの管理テーブルを保持する必要があり、この管理テーブルの管理に人的時間及び労力が求められるという問題がある。また、ＩＰ電話交換機が収容する全てのＩＰ電話端末のＩＰアドレスの割り当て処理を行う必要があるため、ＩＰ電話交換機にＣＰＵ負荷やネットワーク負荷が集中してしまうという問題がある。
【０００８】
本発明の目的は、管理上の省力化および適正な負荷分散を図ったＩＰ電話交換システムを提供することである。
【課題を解決するための手段】
【０００９】
本発明によるＩＰ電話交換システムは、ＩＰ電話交換機と、ＩＰアドレスが割り当てられて該ＩＰ電話交換機に収容される少なくとも１つのＩＰ電話端末と、を含むＩＰ電話交換システムであり、該ＩＰ電話交換機とは別に設けられ、該ＩＰ電話端末の設定要求に応じて、割当ＩＰアドレス及び端末認証情報を含む設定情報を該ＩＰ電話端末に向けて送信するＩＰアドレス割当装置を含み、
該ＩＰ電話端末は、該設定情報に含まれる割当ＩＰアドレスを自身のＩＰアドレスとして設定し、該ＩＰ電話交換機は、該ＩＰ電話端末からの該端末認証情報を含む収容要求に応じて、該ＩＰ電話端末を収容することを特徴とする。
【実施例】
【００１０】
本発明の実施例について添付の図面を参照して詳細に説明する。
【００１１】
図２は、本発明の実施例を示し、本発明によるＩＰ電話交換システムの全体の構成を示している。ＩＰ電話交換機１０と、ＤＨＣＰサーバ３０と、複数のＩＰ電話端末４０ａ乃至４０ｎがＩＰ電話ネットワーク２０に接続されている。本実施例においては、１つのＤＨＣＰサーバ３０が示されているが、複数のＩＰ電話端末４０ａ乃至４０ｎをグループに分け、各グループ毎に１つのＤＨＣＰサーバを設けることも可能である。ＩＰ電話ネットワーク２０は、ＩＰプロトコルにより通信が可能な通常の伝送網であり、例えば、ＬＡＮにより実現されても良い。複数のＩＰ電話端末４０ａ乃至４０ｎの各々は、物理的にＩＰ電話ネットワーク２０に接続されているが、ＩＰ電話交換機１０に収容されることで始めてＩＰ電話交換機１０による交換サービスを受けることができＩＰ電話ネットワーク２０を介したＩＰ電話通信が可能となる。
【００１２】
ＩＰ電話交換機１０は、ＩＰ電話端末を収容することが可能な交換機であり、複数のＩＰ電話端末の電話番号を管理し、これら端末の呼制御、外線着信サービス及び内線転送サービス等の機能を有する。ＩＰ電話交換機１０は、また、外部のアナログ電話網あるいは無線電話網と電話接続を可能とするゲートウエイ機能を有しても良い。ＩＰ電話交換機３０は端末管理テーブル１１を含む。端末管理テーブル１１は、ＩＰ電話端末４０ａ乃至４０ｎの各々の端末情報からなる端末情報群１１１と、ＩＰ電話端末４０ａ乃至４０ｎの各々に割り当てられるＩＰアドレスからなるＩＰアドレス群１１２とを含み、端末情報とＩＰアドレスとが一対一に対応付けられる。端末情報は、少なくともＩＰ電話端末を一意に識別し得る情報を含み、例えば、ＩＰ電話端末の物理アドレス、端末の識別子及び端末の内線番号を含む。端末情報は管理者により設定される。ＩＰアドレスは、ＤＨＣＰサーバ３０からの通知により設定される。ＩＰ電話端末４０ａ乃至４０ｎのうちで未だ収容されていないものについては、その端末情報のみが端末管理テーブル１１に設定され、そのＩＰアドレスは設定されない。
【００１３】
なお、ＩＰ電話交換機１０及びＩＰ電話端末４０ａ乃至４０ｎとの間は、ＢｏｏｔＰやＤＨＣＰパケットを通過せしめるネットワーク構成とする必要はなく簡易なネットワーク構成により実現し得る。
【００１４】
ＩＰ電話端末４０は、ＩＰネットワークにおいてＩＰ電話機能を実現するＩＰ電話端末であり、ＩＰ電話ネットワーク２０において１つのノードを構成する必要があることから、その起動後の運用時までにはＩＰアドレスが割り当てられる必要がある。ＩＰ電話端末４０の端末情報は、ＩＰ電話交換機１０における端末管理テーブル１１に予め登録保持されている必要がある。
【００１５】
ＤＨＣＰサーバ３０は、ＤＨＣＰプロトコルに基づいてＩＰ電話端末４０ａ乃至４０ｎからの割り当て要求に応じてＩＰアドレスを割り当てるＩＰアドレス割当装置であり、ＩＰアドレスの割当要求及び呼応するＩＰアドレスの割当は、ＩＰ電話ネットワーク２０を介して行われる。ＤＨＣＰサーバ３０は、ＤＨＣＰプロトコルを実装し得る通常のコンピュータにより実現され得る。ＤＨＣＰサーバ３０は、アドレス管理テーブル３１を保持する。アドレス管理テーブル３１は、割り当て済みのＩＰアドレスからなるＩＰアドレス群３１１と、発行された認証ＩＤからなる認証ＩＤ群３１２とを含み、ＩＰ電話端末毎に割り当てられたＩＰアドレスと、当該ＩＰ電話端末毎に発行した認証ＩＤとの一対一の対応関係を与える。認証ＩＤは、ＤＨＣＰサーバ３０が、あるＩＰ電話端末を認証するたびに発行する識別子であり、端末認証情報を構成する。認証ＩＤは、好ましくはＤＨＣＰサーバ３０の固有情報（例えば暗証番号）を含むことにより、ＤＨＣＰサーバ３０がこの認証ＩＤを参照した際に、当該認証ＩＤは自分自身が発行した認証に基づくものであるか否かを判断できるようにする。
【００１６】
図３は、図２に示されるＩＰ電話端末４０ａ乃至４０ｎからＩＰ電話交換機１０に送信される起動完了通知パケット５０の内容を示している。起動完了通知パケット５０は、ＩＰ電話端末４０ａ乃至４０ｎの各々が、その起動時にＩＰ電話交換機１０に送信するパケットである。起動完了通知パケット５０の構成は、例えばＩＰ電話端末４０ａが起動完了である旨を示す通知種別５１と、ＩＰ電話端末４０ａを一意に識別するための端末情報５２と、ＩＰ電話端末４０ａに割り当てられたＩＰアドレスである送信元ＩＰアドレス５３と、ＩＰ電話端末４０ａに発行された認証ＩＤ５４とからなる。端末情報５２と送信元ＩＰアドレス５３と認証ＩＤ５４は、ＩＰ電話端末４０ａをＩＰ電話交換機１０に収容するための設定情報を構成する。
【００１７】
図４は、新たに１つのＩＰ電話端末４０ａをＩＰ電話交換機１０が収容する処理手順を示している。本図の処理手順について図２に示される構成要素を適宜参照して説明する。なお前提として、ＩＰ電話交換機１０には、ＩＰ電話端末４０ａの端末情報が端末管理テーブル１１に設定されているものとする。
【００１８】
まず、ＩＰ電話端末４０ａは、その起動時に、ＤＨＣＰサーバ３０にＩＰアドレス取得要求パケットを送出する（ステップＳ０１）。
【００１９】
この取得要求パケットに応じて、ＤＨＣＰサーバ３０は、要求元のＩＰ電話端末４０ａに対して新たなＩＰアドレスを割り当て、このＩＰ電話端末４０ａをＩＰ電話ネットワーク２０に接続されるべきものとして認証して認証ＩＤを発行する（ステップＳ０２）。この際に、ＤＨＣＰサーバ３０は、割り当てた割当ＩＰアドレスと認証ＩＤとをアドレス管理テーブル３１に記憶して保持する。次いで、ＤＨＣＰサーバ３０は、割り当てたＩＰアドレスと認証ＩＤとをＤＨＣＰパケットに設定して要求元のＩＰ電話端末４０ａに返信する．
このＤＨＣＰパケットを受信したＩＰ電話端末４０ａは、このＤＨＣＰパケットにあるＩＰアドレスを取得して自身のＩＰアドレスとして設定する（ステップＳ０３）。次に、ＩＰ電話端末４０ａは、ＤＨＣＰパケットにある認証ＩＤを取得し、この認証ＩＤを含む起動完了通知パケット（図３参照）を作成し（ステップＳ０４）、これをＩＰ電話交換機１０に送信する（ステップＳ０５）。これにより、ＩＰ電話端末４０ａは、ＩＰ電話交換機１０に対して自身が起動したことを通知する。起動完了通知パケットには、ＩＰ電話端末４０ａ自身を特定する端末情報、ＤＨＣＰサーバ３０から取得した割当ＩＰアドレスおよび認証ＩＤが設定されている。
【００２０】
ＩＰ電話交換機１０は、この起動完了通知パケットを受信する（ステップＳ０６）。次いで、ＩＰ電話交換機１０は、起動完了通知パケット内に設定されている端末情報を取得し、端末管理テーブル１１を参照して、当該端末情報がテーブル内に登録されているか否かを判断する（ステップＳ０７）。もし当該端末情報がテーブル内に登録されている場合は、収容可能な端末であると判断してステップＳ０８に進む。もし当該端末情報がテーブル内に無い場合は、収容不可能な端末であると判断して収容を中止する。
【００２１】
ステップＳ０７において、収容可能な端末であると判断された場合には、ＩＰ電話交換機１０は、起動完了通知パケット内に設定されている認証ＩＤおよび割当ＩＰアドレスを取得し、認証ＩＤおよび割当ＩＰアドレスを含む問い合わせパケットを作成する。次いで、この問い合わせパケットをＤＨＣＰサーバ３０に対して送信する（ステップＳ０８）。この問い合わせは、当該認証ＩＤの発行をＤＨＣＰサーバ３０に対して確認するために行う。  ＤＨＣＰサーバ３０は、この問い合わせパケットに応じて、該問い合わせパケットに含まれる認証ＩＤおよび割当ＩＰアドレスの組みが自身の発行したものであのか否かをアドレス管理テーブル３１を参照して判断する（ステップＳ０９）。もし自身が発行したものでない場合にはＩＰ電話交換機１０に対して拒否の旨の拒否パケットを返信し、自身が発行したものすなわち適正なもの判断される場合には許可の旨の許可パケットを返信する（ステップＳ１０）。
【００２２】
ＤＨＣＰサーバ３０からの返信を受信したＩＰ電話交換機１０は、ＤＨＣＰサーバ３０からの返信内容を判定する（ステップＳ１１）。この返信内容が拒否である場合には、ＩＰ電話交換機１０は、処理を中断してＩＰ電話端末４０ａの収容を中止する。この処理は、ＩＰ電話交換機に対するなりすましによる端末接続を防止するものでありセキュリティを図るものである。
【００２３】
一方、返信内容が許可であった場合は、ＩＰ電話交換機１０は、端末管理テーブル３１におけるＩＰ電話端末４０ａの端末情報に対応するＩＰアドレス欄に当該割当ＩＰアドレスを設定し、収容完了通知パケットをＩＰ電話端末４０ａに送信する（ステップＳ１２）。以上の処理手順により、ＩＰ電話端末４０ａの収容が完了し、ＩＰ電話端末４０ａ及びＩＰ電話交換機１０は、ＩＰ電話の運用を開始する（ステップＳ１３）。
【００２４】
なお、変形例として、ＩＰ電話交換機１０において、ステップＳ８乃至Ｓ１１のステップにおけるＤＨＣＰサーバ３０に対する問い合わせに代えて、認証ＩＤに含まれるＤＨＣＰサーバ３０の固有情報（例えば暗証番号等の情報）の存在を判定することにより、ＤＨＣＰサーバ３０の許可を擬制しても良い。
【００２５】
以上のように、本実施例においては、ＤＨＣＰサーバがＩＰ電話端末の認証およびＩＰアドレスの割り当てを行う。これにより、ＩＰ電話交換機でのＩＰ電話端末のＩＰアドレスの管理が不要となり、ＩＰアドレスの管理が容易であり省力化を図ることが可能となる。また、ＩＰ電話交換機ではＩＰアドレスの割り当て処理を行わないため、ＩＰ電話交換機のＣＰＵ負荷およびネットワークの負荷を低減することが可能となり適正な負荷分散を図ることができる。
【００２６】
なお、以上の説明において、ＩＰ電話端末は単一のＩＰ電話機として説明されたが、かかるＩＰ電話端末は、これに限られずネットワークを介して他のＩＰ電話交換機に接続するためのゲートウェイ装置とすることも可能である。
【図面の簡単な説明】
【００２７】
【図１】従来の技術を説明する説明図である。
【図２】本発明の実施例を示し、本発明によるＩＰ電話交換システムの全体の構成を示しているブロック図である。
【図３】ＩＰ電話端末からＩＰ電話交換機に送信される起動完了通知パケットの内容を示している図である。
【図４】新たに１つのＩＰ電話端末をＩＰ電話交換機が収容する処理手順を示しているシーケンス図である。
【符号の説明】
【００２８】
１０  ＩＰ電話交換機
１１  端末管理テーブル
２０  ＩＰ電話ネットワーク
３０  ＩＰ電話端末
３１  アドレス管理テーブル
４０ａ乃至４０ｎ  ＩＰ電話端末
５０  起動完了通知パケット
【図１】
2005236714.tif 000003
【図２】
2005236714.tif 000004
【図３】
2005236714.tif 000005
【図４】
2005236714.tif 000006